(57)【要約】【課題】  現在の画像形成装置の主流の技術となっている画面の表示手段による（倍率が１００％、用紙サイズが自動などの加工条件からなる）基本コピーメニューは、段階的な指示で実行され、確定したメニューでは無い為、前使用者が変更したメニューに気がつかず、後使用者が誤指示を出す可能性がある技術である。【解決手段】  例えば、コピーの実施は、電源をＯＮ→（倍率が１００％、用紙サイズが自動などの加工条件からなる）標準コピーメニューの指示部を設けたホーム画面の自動表示→標準コピーメニューの指示部の選択。………この２つの指示だけで、コピーミスが防止される。或いは、電源をＯＮ→標準コピーメニューの指示部を設けたホーム画面の自動表示→標準コピーメニューの指示部の選択→スタートボタンの選択。………この３つの指示だけで、コピーミスが防止される。【選択図】  図２
2015045982.tif 000002
【特許請求の範囲】
【請求項１】
コピーやスキャナー等の機能を選択する為の加工メニューの上位概念メニューの画面を表示し、この上位概念メニューの画面を、倍率が１００％、用紙サイズが自動などの加工条件からなる標準コピーメニューの最下位概念メニューの画面に切り替えて表示し、この最下位概念メニューを実施する手段を備えた画像形成装置において、上位概念メニューの画面を最下位概念メニューの画面に切り替える必要がなく、電源をＯＮ後に一つの指示で、この最下位概念メニューを選択及び確定又は選択及び確定及び開始する指示手段を備えた画像形成装置。
【請求項２】
コピーやスキャナー等の機能を選択する為の加工メニューを、電源をＯＮ後に使用者が選択でき最初に表示される画面であるホーム画面として表示し、このホーム画面を、倍率が１００％、用紙サイズが自動などの加工条件からなる標準コピーメニューの画面に切り替えて表示し、標準コピーメニューを実施する手段を備えた画像形成装置において、ホーム画面内に、標準コピーメニューの指示部を設け、ホーム画面を切り替える必要がなく、電源をＯＮ後に、標準コピーメニューの指示部の選択の一つの指示で、標準コピーメニューを選択及び確定又は選択及び確定及び開始する指示手段を備えた請求項１の画像形成装置。
【請求項３】
コピーやスキャナー等の機能を選択する為の加工メニューを、電源をＯＮ後に使用者が選択でき最初に表示される画面であるホーム画面として表示し、このホーム画面を、倍率が１００％、用紙サイズが自動などの加工条件からなる標準コピーメニューの画面に切り替えて表示し、標準コピーメニューを実施する手段を備えた画像形成装置において、ホーム画面より先に標準コピーメニューの画面を表示し、ホーム画面を切り替える必要がなく、電源をＯＮ後に、標準コピーメニューの指示部の選択の一つの指示で、標準コピーメニューを選択及び確定又は選択及び確定及び開始する指示手段を備えた請求項１の画像形成装置。
【請求項４】
コピーやスキャナー等の機能を選択する為の加工メニューを、電源をＯＮ後に使用者が選択でき最初に表示される画面であるホーム画面として表示し、このホーム画面を、倍率が１００％、用紙サイズが自動などの加工条件からなる標準コピーメニューの画面に切り替えて表示し、標準コピーメニューを実施する手段を備えた画像形成装置において、ホーム画面を表示する画面と、この画面外に標準コピーメニューのボタンとボタンの加工内容を示す表示部の指示部を併設して、ホーム画面を切り替える必要がなく、電源をＯＮ後に、標準コピーメニューの指示部の選択の一つの指示で、標準コピーメニューを選択及び確定又は選択及び確定及び開始する指示手段を備えた請求項１の画像形成装置。
【発明の詳細な説明】
【技術分野】
【０００１】
コピー機能やスキャナー機能等の複数の画像形成機能を装備した複合機の画像形成装置に関する。
【背景技術】
【０００２】
現在のコピー機能やスキャナー機能等の複数の画像形成機能を装備した複合機の画像形成装置は、使用者が選択できる加工条件を多く備えており、この多くの加工条件からなるメニューを実施する為に、この画像形成装置の一つの操作盤上に、多くのキーを並べてこの加工を管理する事は、不明瞭となり、不便である。
【０００３】
現在の画像形成装置の主流の技術となっている画面の表示手段（例えば、非特許文献１、図１）は、先ず、上位概念メニュー（例えば、コピーやスキャナーなどの機能を選択する為の加工メニュー）の画面１を表示し、画面を切り替えて、必要とする最下位概念メニュー（例えば、倍率や用紙サイズなどの複数の加工条件からなる個々のコピーメニュー）の画面２を取り出し、表示する手段であり、複雑な表示内容を解り易く整理し、便利にする手段である。
【０００４】
反面、この現在の画像形成装置の主流の技術となっている画面の表示手段（例えば、非特許文献１、図１）に、表示される倍率が１００％、用紙サイズが自動などの加工条件からなる基本コピーメニューの実施は、次の欠点を所有する。
【０００５】
（１）、先ず、上位概念メニューの画面１を表示し、必要な最下位概念メニューの画面２に切り替えて表示する手段であり、電源をＯＮ後の、一度の画面表示で希望する最下位概念メニューを取り出す事が出来ない欠点を所有する。
【０００６】
（２）、更に、図１で示す通り、この基本コピーメニューの画面（最下位概念メニューの画面）２は、ホーム画面（上位概念メニューの画面）１のコピー選択の指示部５を選択すると自動で表示され、画面内容を目視確認後、スタートボタンの押し下げで、コピーを行なう事が出来る技術であるが、この画面の中に表示された基本コピーメニューは、スタートボタンを押し下げるまでは、確定されたメニューで無い為、前使用者が変更したメニューに気がつかず、後使用者が誤指示を出す可能性がある技術である。或いは、使用者が前に変更したメニューを忘れ、後で使用者が誤指示を出す可能性がある技術である。
【０００７】
詳しく、これを著すと、例えば、電源スイッチを「ＯＮ」→ホーム画面１の自動表示→コピー選択の指示部５の選択→基本コピーメニューの画面２の自動表示→使用者１によるメニューの変更（登録コピー１画面）→使用者２によるメニューの変更（登録コピー２画面）→電源スイッチをＯＦＦ。電源スイッチを「ＯＮ」→ホーム画面１の自動表示→コピー選択の指示部５の選択→基本コピーメニューの画面２の自動表示→使用者１によるメニューの変更（登録コピー１画面）→使用者２によるメニューの変更（登録コピー２画面）………に於いて、
「基本コピーのつもりでスタートボタンを押したが、登録コピー１や登録コピー２が実施された」、「登録コピー１のつもりでスタートボタンを押したが、基本コピーや登録コピー２が実施された」、などと、使用者の意思に関係なく、１つの設定場所（画面）でメニュー内容が人為的、自動的に変化し、簡単にコピーミスを誘発する要因を作り出している。
【０００８】
これらの基本コピーメニューを取り出す為の手間やコピーミスは、日々、最も多く使用される基本コピーに関しており、深刻な問題である。
【０００９】
更に、この基本コピー画面は、メニューを変更する為の画面が併設されている為、メニューを変更する為の画面が不要な時にも、この画面が表示されており、不要な電力が消費されている。
【００１０】
特許文献１の技術（図４の右側部分）は、倍率が１００％、用紙サイズが自動などの加工条件からなる原稿優先コピーメニューの選択と確定とスタートの指示を一つで実施する手段であり、現在の画像形成装置の主流の技術（例えば、非特許文献１、図１）の欠点を解消する事が出来る指示手段であるが、この指示手段は、画面を設けた画像形成装置に備える事を想定していない。
【００１１】
仮に、特許文献１の技術（図４の右側部分）を、例えば、非特許文献１の技術に備える事を想到できたとしても、非特許文献１の技術の画面表示の目的や実施の形態などの特性（例えば、多くのボタン３Ａ、４Ａとボタンの加工内容を示す表示部３Ｂ、４Ｂの指示部３、４を画面内に収め、上位概念メニューの画面を表示し、適宜に画面を切り替えて、希望する最下位概念メニューの画面を表示し、最下位概念メニュー取り出し、分かり易く表示する。）を勘案すれば、図２が示すように、上位概念メニューの画面（ホーム画面）１１に、いきなり、特定の最下位概念メニュー（標準コピーメニュー）の指示部１３を特別に表示する手段を想定する事はできない。
【００１２】
或いは、図３が示すように、上位概念メニューの画面より先に、いきなり、特定の最下位概念メニュー（標準コピーメニュー）の指示部１３ａを表示する最下位概念メニューの画面（標準コピーメニューの画面）１２を特別に表示する手段を想定する事はできない。
【００１３】
或いは、非特許文献１の技術の画面表示の目的や実施の形態などの特性（例えば、多くのボタン３Ａ、４Ａとボタンの加工内容を示す表示部３Ｂ、４Ｂの指示部３、４を画面内に収め、上位概念メニュー画面を表示し、適宜に画面を切り替えて、希望する最下位概念メニュー画面を表示し、最下位概念メニュー取り出し、分かり易く表示する。）を勘案すれば、図４が示すように、非特許文献１の画面（図例では、基本コピーメニューの画面２を示す）と、画面外の特許文献１のボタン３Ａ、４Ａとボタンの加工内容を示す表示部３Ｂ、４Ｂの指示部３、４を併設する手段を想定する事はできない。
【００１４】
なおさら、図５が示すように、非特許文献１の画面（図例では、ホーム画面１を示す）と、画面外の特許文献１の特定のボタン１４Ａとボタンの加工内容を示す表示部１４Ｂの指示部１４を特別に併設する技術を想定する事はできない。
【００１５】
尚、非特許文献１の技術の画面表示の目的や実施の形態などの特性（要約すれば、画面外の指示部を、画面内に取り入れ、順序よく、表示する手段）を勘案した上で、非特許文献１の画面と、画面外の特許文献１のボタンと表示部と指示部の単なる組み合わせを想到すれば、図６で示す通りであり、「電源をＯＮ→ホーム画面１の自動表示→コピー選択の指示部５の選択→用紙優先コピーメニュー選択の指示部の画面６の表示→用紙優先コピーメニュー選択の指示部７の選択→用紙優先コピーメニューが開始される。」手段である。
くれぐれも、非特許文献１の画面と、画面外の特許文献１のボタンと表示部の指示部の組み合わせの技術は、単なる物と物の組み合わせでは無い事を留意する必要がある。
【００１６】
同様に、前記の画面表示手段を備えた画像形成装置において、スキャン、ファクス、プリントを行なう技術も、上位概念メニューの画面から、最下位概念メニュー画面を順次、表示し、手間を要する技術である。
【先行技術文献】
【特許文献】
【００１７】
【特許文献１】特開Ｓ６２−８１６６２号公報
【非特許文献】
【００１８】
【非特許文献１】ＦｕｊｉＸｅｒｏｘＤｏｃｕＣｅｎｔｒｅＩＶＣ３３７５説明書
【発明の概要】
【発明が解決しようとする課題】
【００１９】
本願発明の「発明が解決しようとする課題」の要約は、前記の「背景技術」で挙げた現在の画像形成装置の主流の技術となっている画面の表示手段を備えた画像形成装置（例えば、非特許文献１、図１）の欠点を解決する事にある。
【００２０】
即ち、本発明の要点の要約は、
（１）、多くのメニューに対応する為に、
（２）、上位概念メニュー画面を、最下位概念メニュー画面に切り替えて、表示し、実施する手段と………、
（３）、最下位概念メニューの選択と確定或は選択と確定とスタートの指示を一つで実施する手段を備えた画像形成装置に於いて………、
【００２１】
（１０）、上位概念メニューの画面を最下位概念メニュー（標準コピーメニュー）の画面に切り替えるのを不要とする手段の提供。………にある。
【００２２】
この手段は、
（１１）、上位概念メニューの画面内に、特定の最下位概念メニュー（標準コピーメニュー）を特別に表示する手段の提供。
（１２）、上位概念メニューの画面より先に、特定の最下位概念メニュー（標準コピーメニュー）を特別に表示する手段の提供。
（１３）、非特許文献１の画面と、画面外の特許文献１の特定のボタンと表示部の指示部（標準コピーメニューの指示部）を特別に併設する手段の提供。………である。
【００２３】
これらの手段の提供により、
（２１）、現在の画像形成装置（例えば、非特許文献１）と比較して、作業の手間や時間や電力を少なくし、
（２２）、人為的、自動的に加工内容を変更する余地を無くし、現在の画像形成装置（例えば、非特許文献１）の指示ミスを誘発するのを防止する手段の提供である
【課題を解決するための手段】
【００２４】
請求項１の発明は、コピーやスキャナー等の機能を選択する為の加工メニューの上位概念メニューの画面を表示し、この上位概念メニューの画面を、倍率が１００％、用紙サイズが自動などの加工条件からなる標準コピーメニューの最下位概念メニューの画面に切り替えて表示し、この最下位概念メニューを実施する手段を備えた画像形成装置において、上位概念メニューの画面を最下位概念メニューの画面に切り替える必要がなく、電源をＯＮ後に一つの指示で、この最下位概念メニューを選択及び確定又は選択及び確定及び開始する指示手段を備えた画像形成装置である。
【００２５】
請求項２の発明は、コピーやスキャナー等の機能を選択する為の加工メニューを、電源をＯＮ後に使用者が選択でき最初に表示される画面であるホーム画面として表示し、このホーム画面を、倍率が１００％、用紙サイズが自動などの加工条件からなる標準コピーメニューの画面に切り替えて表示し、標準コピーメニューを実施する手段を備えた画像形成装置において、ホーム画面内に、標準コピーメニューの指示部を設け、ホーム画面を切り替える必要がなく、電源をＯＮ後に、標準コピーメニューの指示部の選択の一つの指示で、標準コピーメニューを選択及び確定又は選択及び確定及び開始する指示手段を備えた請求項１の画像形成装置である。
【００２６】
請求項３の発明は、コピーやスキャナー等の機能を選択する為の加工メニューを、電源をＯＮ後に使用者が選択でき最初に表示される画面であるホーム画面として表示し、このホーム画面を、倍率が１００％、用紙サイズが自動などの加工条件からなる標準コピーメニューの画面に切り替えて表示し、標準コピーメニューを実施する手段を備えた画像形成装置において、ホーム画面より先に標準コピーメニューの画面を表示し、ホーム画面を切り替える必要がなく、電源をＯＮ後に、標準コピーメニューの指示部の選択の一つの指示で、標準コピーメニューを選択及び確定又は選択及び確定及び開始する指示手段を備えた請求項１の画像形成装置である。
【００２７】
請求項４の発明は、コピーやスキャナー等の機能を選択する為の加工メニューを、電源をＯＮ後に使用者が選択でき最初に表示される画面であるホーム画面として表示し、このホーム画面を、倍率が１００％、用紙サイズが自動などの加工条件からなる標準コピーメニューの画面に切り替えて表示し、標準コピーメニューを実施する手段を備えた画像形成装置において、ホーム画面を表示する画面と、この画面外に標準コピーメニューのボタンとボタンの加工内容を示す表示部の指示部を併設して、ホーム画面を切り替える必要がなく、電源をＯＮ後に、標準コピーメニューの指示部の選択の一つの指示で、標準コピーメニューを選択及び確定又は選択及び確定及び開始する指示手段を備えた請求項１の画像形成装置である。
【発明の効果】
【００２８】
概しては、「発明が解決しようとする課題」の要約で挙げた通り、「背景技術」で挙げた問題を解決する。
即ち、先ず、上位概念メニュー（例えば、コピーやスキャナーなどの機能を選択する為の加工メニュー）の画面を表示し、画面を切り替えて、必要とする最下位概念メニュー（例えば、倍率が１００％、用紙サイズが自動などの加工条件からなる基本コピーメニュー）の画面を取り出し表示する、現在の主流の技術となっている画面の表示手段を備えた画像形成装置において、………
不要な画面の表示の切り替えを無くし、一つの指示により、加工内容を選択し確定或いは選択し確定し開始する指示手段を設ける事により、倍率が１００％、用紙サイズが自動などの加工条件からなる標準コピーメニューの加工内容を人為的、自動的に変更する余地をなくし、使用者が気づかぬ間に、予定したメニューが勝手に変更され、簡単に加工内容の指示ミスを誘発するのを防止し、不要な手間や電力や時間を無くす。
【００２９】
尚、各図で示す、（＊）は、人為的動作（作業手順）を示す。
図１の従来技術は、操作動作が３回、確認動作が１回を要し、これに対し、図２、３、５の本願発明技術は、操作動作が２〜３回で済む事を示す。
尚、図５の標準コピーメニューの指示部に電源の入力手段を併設すれば、標準コピーメニューの指示部を選択すれば、電源のＯＮと標準コピーメニューの開始を１〜２回の操作動作で実施する手段を可能にする。
【図面の簡単な説明】
【００３０】
【図１】従来技術のコピーの実施手順を示す概略図。
【図２】本発明のコピーの実施手順を示す概略図。
【図３】本発明のコピーの実施手順を示す概略図。
【図４】非特許文献１と特許文献１の組み合わせを示す概略図。
【図５】本発明のコピーの実施手順を示す概略図。
【図６】非特許文献１と特許文献１の組み合わせを示す概略図。
【発明を実施するための形態】
【００３１】
図２は、本発明の概略を示す代表図であり、コピーやスキャナー等の機能を選択する為の加工メニューのホーム画面１１内に、倍率が１００％、用紙サイズが自動などの加工条件からなる標準コピーメニューの指示部１３を設け、この標準コピーメニューの指示部の一つの指示で、標準コピーメニューの選択及び確定又は選択及び確定及び開始する指示手段を備えた画像形成装置を示している。
【００３２】
この加工の実施は、電源をＯＮ→ホーム画面１１の自動表示→標準コピーメニューの指示部１３の選択→標準コピーメニューが開始される。
或いは、電源をＯＮ→ホーム画面１１の自動表示→標準コピーメニューの指示部１３の選択→スタートボタンの選択→標準コピーメニューが開始される。
【００３３】
尚、標準コピーメニューの指示部１３の表記方法（「標準コピー／倍率１００％、用紙サイズ自動」）のその他の実施例として、「標準コピー／確定／倍率１００％、用紙サイズ自動」や「標準コピー／スタート／倍率１００％、用紙サイズ自動」などの別の表記方法が可能である。
尚、標準コピーメニューの指示部の選択後の「標準コピーメニューを確定しました。」や「標準コピーメニューを開始しました。」を表示する画面などの画面の表示を省略可能である。
【００３４】
図３は、本発明の概略を示す代表図であり、コピーやスキャナー等の機能を選択する為の加工メニューのホーム画面より先に表示する、倍率が１００％、用紙サイズが自動などの加工条件からなる標準コピーメニューの指示部１３ａを備えた標準コピーメニューの画面１２を設け、この標準コピーメニューの指示部１３ａの一つの指示で、標準コピーメニューの選択及び確定又は選択及び確定及び開始する指示手段を備えた画像形成装置を示している。
【００３５】
この加工の実施は、電源をＯＮ→標準コピーメニューの画面１２の自動表示→標準コピーメニューの指示部１３ａの選択→標準コピーメニューが開始される。
或いは、電源をＯＮ→標準コピーメニューの画面１２の自動表示→標準コピーメニューの指示部１３ａの選択→スタートボタンの選択→標準コピーメニューが開始される。
【００３６】
尚、標準コピーメニューの指示部１３ａの表記方法（「標準コピー／倍率１００％、用紙サイズ自動」）のその他の実施例として、「標準コピー／確定／倍率１００％、用紙サイズ自動」や「標準コピー／スタート／倍率１００％、用紙サイズ自動」などの別の表記方法が可能である。
尚、標準コピーメニューの指示部の選択後の「標準コピーメニューを確定しました。」や「標準コピーメニューを開始しました。」を表示する画面やホーム画面などの画面の表示を省略可能である。
【００３７】
図５は、本発明の概略を示す代表図であり、コピーやスキャナー等の機能を選択する為の加工メニューのホーム画面１と、この画面外の倍率が１００％、用紙サイズが自動などの加工条件からなる標準コピーメニューのボタン１４Ａと表示部１４Ｂからなる標準コピーメニューの指示部１４を併設し、この標準コピーメニューのボタン１４Ａの一つの指示で、標準コピーメニューの選択及び確定又は選択及び確定及び開始する指示手段を備えた画像形成装置を示している。
【００３８】
この加工の実施は、電源をＯＮ→標準コピーメニューのボタン１４Ａの選択→標準コピーメニューが開始される。
或いは、電源をＯＮ→標準コピーメニューのボタン１４Ａの選択→スタートボタンの選択→標準コピーメニューが開始される。
【００３９】
尚、標準コピーメニューの表示部１４Ｂの表記方法（「標準コピー／倍率１００％、用紙サイズ自動」）のその他の実施例として、「標準コピー／確定／倍率１００％、用紙サイズ自動」や「標準コピー／スタート／倍率１００％、用紙サイズ自動」などの別の表記方法が可能である。
尚、標準コピーメニューの指示部の選択後の「標準コピーメニューを確定しました。」や「標準コピーメニューを確定し開始します。」を表示する画面やホーム画面などの画面の表示を省略可能である。
【符号の説明】
【００４０】
１      ホーム画面（上位概念メニューの画面、従来技術）
２      基本コピーメニューの画面（最下位概念メニューの画面、従来技術）
３      用紙優先コピー選択の指示部（従来技術）
３Ａ    用紙優先コピー選択のボタン（従来技術）
３Ｂ    用紙優先コピー選択の表示部（従来技術）
４      加工条件選択の指示部（従来技術）
４Ａ    加工条件選択のボタン（従来技術）
４Ｂ    加工条件選択の表示部（従来技術）
５      コピー選択の指示部（従来技術）
６      用紙優先コピーメニュー選択の指示部の画面
７      用紙優先コピーメニュー選択の指示部
１１    ホーム画面（上位概念メニューの画面、本願発明技術）
１２    標準コピーメニューの画面（最下位概念メニューの画面、本願発明技術）
１３    標準コピーメニューの指示部（最下位概念メニューの指示部、本願発明技術）
１３ａ  標準コピーメニューの指示部（最下位概念メニューの指示部、本願発明技術）
１４    標準コピーメニューの指示部（最下位概念メニューの指示部、本願発明技術）
１４Ａ  標準コピーメニューのボタン（本願発明技術）
１４Ｂ  標準コピーメニューの表示部（本願発明技術）
【図１】
2015045982.tif 000003
【図２】
2015045982.tif 000004
【図３】
2015045982.tif 000005
【図４】
2015045982.tif 000006
【図５】
2015045982.tif 000007
【図６】
2015045982.tif 000008